(57)【要約】【課題】回収した廃棄物が満杯に至ったことを、より適切なタイミングで判断可能な画像形成装置を提供することまたは廃棄物の回収量を考慮してクリーニング手段が交換されるように促すこと。【解決手段】画像形成装置は、センサによる検知状態検知状態＝フルであっても（Ｓ４０１：ＹＥＳ）、トナー形成動作に伴ってカウントアップされる推定回収量について、推定回収量≧最低印字保証量Ｘでなければ（Ｓ４０３：ＮＯ）、収容状態＝ニアフルを設定する（Ｓ４０９）。また、センサによる検知状態検知状態＝ニアフルであれば（Ｓ４１１：ＹＥＳ）、推定回収量≧最低印字保証量Ｘでなくても、推定回収量≧最大推定回収量Ｙでない限り（Ｓ４１３：ＮＯ）、収容状態＝ニアフルを設定する（Ｓ４１５）。ただし、推定回収量≧最大推定回収量Ｙであれば（Ｓ４１３：ＹＥＳ）、収容状態＝フルを設定する（Ｓ４０７）。【選択図】図８
2008164918.tif 000002
【特許請求の範囲】
【請求項１】
トナー像を形成可能な形成手段と、
前記形成手段によるトナー像形成動作に伴って発生する廃棄物を収容する収容手段と、
前記収容手段に収容された廃棄物を検知する第１検知手段および第２検知手段と、
前記第１検知手段によって前記廃棄物が検知されたときに、前記形成手段によるトナー像形成動作に基づくカウントアップを開始するカウント手段と、
前記カウント手段によってカウントされたカウント値が、あらかじめ設定された閾値以上となっており、且つ、前記第２検知手段によって前記廃棄物が検知されている場合に、前記収容手段に収容された廃棄物の量が最大収容量に達したと判定する判定手段と
を備えたことを特徴とする画像形成装置。
【請求項２】
前記判定手段は、前記カウント手段によってカウントされたカウント値が、あらかじめ設定された閾値以上となった場合に、前記収容手段に収容された廃棄物の量が最大収容量に達したと判定する
ことを特徴とする請求項１に記載の画像形成装置。
【請求項３】
前記形成手段は、被記録媒体上に画像を形成する印刷動作を実行可能で、
前記カウント手段は、前記形成手段が前記印刷動作を実行するたびに、前記印刷動作に対応づけて設定された第１加算値を前記カウント値に加算する
ことを特徴とする請求項１または請求項２に記載の画像形成装置。
【請求項４】
前記形成手段は、色ずれ補正を行うための色ずれ補正動作を実行可能で、
前記カウント手段は、前記形成手段が前記色ずれ補正動作を実行するたびに、前記色ずれ補正動作に対応づけて設定された第２加算値を前記カウント値に加算する
ことを特徴とする請求項１〜請求項３のいずれかに記載の画像形成装置。
【請求項５】
前記形成手段は、濃度補正を行うための濃度補正動作を実行可能で、
前記カウント手段は、前記形成手段が前記濃度補正動作を実行するたびに、前記濃度補正動作に対応づけて設定された第３加算値を前記カウント値に加算する
ことを特徴とする請求項１〜請求項４のいずれかに記載の画像形成装置。
【請求項６】
前記カウント手段は、前記第１検知手段によって前記廃棄物が検知された後、当該第１検知手段が前記廃棄物を検知しない状態に変化した場合には、前記形成手段によるトナー像形成動作に基づくカウントダウンを開始する
ことを特徴とする請求項１〜請求項５のいずれかに記載の画像形成装置。
【請求項７】
前記形成手段は、被記録媒体上に画像を形成する印刷動作を実行可能で、
前記カウント手段は、前記第１検知手段によって前記廃棄物が検知された後、当該第１検知手段が前記廃棄物を検知しない状態に変化した場合、前記形成手段が前記印刷動作を実行するたびに、前記印刷動作に対応づけて設定された第１減算値を前記カウント値から減算する
ことを特徴とする請求項６に記載の画像形成装置。
【請求項８】
前記形成手段は、色ずれ補正を行うための色ずれ補正動作を実行可能で、
前記カウント手段は、前記第１検知手段によって前記廃棄物が検知された後、当該第１検知手段が前記廃棄物を検知しない状態に変化した場合、前記形成手段が前記色ずれ補正動作を実行するたびに、前記色ずれ補正動作に対応づけて設定された第２減算値を前記カウント値から減算する
ことを特徴とする請求項６または請求項７に記載の画像形成装置。
【請求項９】
前記形成手段は、濃度補正を行うための濃度補正動作を実行可能で、
前記カウント手段は、前記第１検知手段によって前記廃棄物が検知された後、当該第１検知手段が前記廃棄物を検知しない状態に変化した場合、前記形成手段が前記濃度補正動作を実行するたびに、前記濃度補正動作に対応づけて設定された第３減算値を前記カウント値から減算する
ことを特徴とする請求項６〜請求項８のいずれかに記載の画像形成装置。
【請求項１０】
前記第１検知手段が前記廃棄物を検知する状態となったときに、当該状態となったことを報知する報知手段
を備えたことを特徴とする請求項１〜請求項９のいずれかに記載の画像形成装置。
【請求項１１】
前記判定手段によって前記収容手段に収容された廃棄物の量が最大収容量に達したと判定された場合に、前記形成手段によるトナー像形成動作を禁止する禁止手段
を備えたことを特徴とする請求項１〜請求項１０のいずれかに記載の画像形成装置。
【請求項１２】
前記２つの検知手段が前記廃棄物を検知しない状態に変化した場合には、前記禁止手段による禁止を解除する解除手段
を備えたことを特徴とする請求項１１に記載の画像形成装置。
【請求項１３】
前記収容手段は、画像形成装置本体に対し、着脱可能に設けられている
ことを特徴とする請求項１〜請求項１２のいずれかに記載の画像形成装置。
【請求項１４】
トナー像を形成可能な形成手段と、
前記形成手段によるトナー像形成動作に伴って発生する廃棄物を回収するクリーニング手段と、
前記クリーニング手段によって回収された廃棄物を収容する収容手段と、
前記収容手段に収容された廃棄物を検知する検知手段と、
前記検知手段によって前記廃棄物が検知されている場合に、前記収容手段を交換する旨を報知する報知手段と
を備え、
前記クリーニング手段は、前記収容手段に設けられ、かつ当該画像形成装置本体に対し、前記収容手段とともに着脱可能となっている
ことを特徴とする画像形成装置。
【発明の詳細な説明】
【技術分野】
【０００１】
本発明は、画像形成装置に関する。
【背景技術】
【０００２】
従来、トナー像形成動作に伴って発生する廃トナーや紙粉等の廃棄物を回収し、容器内に収容するように構成した画像形成装置において、容器内の廃棄物が所定量に達したことを二つの検知手段で検知する技術は、既に提案されている（例えば、特許文献１参照）。
【０００３】
このような技術によれば、容器が廃棄物で満杯になる前に、一方の検知手段によって容器内の廃棄物が検知されるので、この時点で容器の交換時期が近づいていることを利用者に対して予告することができた。
【０００４】
また、容器が廃棄物で満杯になると、さらに他方の検知手段によって容器内の廃棄物が検知されるので、この時点で容器の交換時期が来たことを利用者に報知することができた。さらに、他方の検知手段によって容器内の廃棄物が検知された時点で、画像形成装置の動作を停止させることにより、容器から廃棄物が溢れるのを防止することもできた。
【特許文献１】特開平６−２０２５２９号公報
【発明の開示】
【発明が解決しようとする課題】
【０００５】
しかしながら、容器内の廃棄物は、容器内の偏った場所に堆積することがあるため、廃棄物の偏り具合によっては、容器内にそれ程廃棄物が溜まっていないにもかかわらず、二つ目の検知手段で廃棄物を検知してしまうことがあった。
【０００６】
また、この種の容器は、利用者によって一時的に画像形成装置本体から取り外された後、画像形成装置本体に再び装着されることがある。そのため、着脱に伴って容器内の廃棄物が偏ったり、偏っていた廃棄物が平に均されたりすることがあり、このような状態変化が原因で、二つ目の検知手段で廃棄物を検知してしまうこともあった。
【０００７】
そして、上述のような状態になると、容器の交換時期が報知されたり、画像形成装置の動作が停止したりするため、実際には容器の収容能力にまだ余力があるにもかかわらず、利用者は容器の交換ないし廃棄物の除去を行わざるを得なくなる、という問題があった。
【０００８】
また、従来、廃棄物を容器に回収するためにクリーニングローラ等のクリーニング手段が用いられている。クリーニング手段は、使用されているうちに廃棄物を回収する能力が低下し寿命がくる。クリーニング手段の交換は、トナー像が形成された用紙等の被記録媒体の枚数がカウントされ、カウント値が所定値に達したことをもって寿命と判定され、促されていた。
【０００９】
しかしながら、クリーニング手段の寿命は回収する廃棄物の量に影響されるにもかかわらず、廃棄物の量を考慮してクリーニング手段が交換されるように促す術がない、という問題があった。
【００１０】
本発明は、上記問題を解決するためになされたものであり、その第１の目的は、回収した廃棄物が満杯に至ったことを、より適切なタイミングで判断可能な画像形成装置を提供することにあり、第２の目的は、廃棄物の回収量を考慮してクリーニング手段が交換されるように促す画像形成装置を提供することにある。
【課題を解決するための手段】
【００１１】
以下、本発明において採用した構成について説明する。
本発明の画像形成装置は、トナー像を形成可能な形成手段と、前記形成手段によるトナー像形成動作に伴って発生する廃棄物を収容する収容手段と、前記収容手段に収容された廃棄物を検知する第１検知手段および第２検知手段と、前記第１検知手段によって前記廃棄物が検知されたときに、前記形成手段によるトナー像形成動作に基づくカウントアップを開始するカウント手段と、前記カウント手段によってカウントされたカウント値が、あらかじめ設定された閾値以上となっており、且つ、前記第２検知手段によって前記廃棄物が検知されている場合に、前記収容手段に収容された廃棄物の量が最大収容量に達したと判定する判定手段とを備えたことを特徴とする。
【００１２】
この画像形成装置において、カウント値は、形成手段によるトナー像形成動作が実行される毎にカウントアップされる値である。カウントアップ時の加算値は、トナー像形成動作の種類（例えば、印刷動作、色ずれ補正動作、濃度補正動作等；詳細は後述）と、それら各トナー像形成動作に伴って発生する廃棄物の量との関係を考慮して、あらかじめ適切な値が設定される。
【００１３】
また、この場合の閾値は、トナー像形成動作に伴って発生する廃棄物の量と、収容手段の収容能力との関係を考慮し、上記カウント値がカウントアップされても閾値に達するまで収容手段が満杯になることはあり得ない、と推定される値があらかじめ設定される。
【００１４】
以上のような画像形成装置において、カウント値が閾値未満の場合、収容手段に収容された廃棄物は、収容手段が満杯になる程の量には達しておらず、収容手段の収容能力には、まだ余力があるものと推測できる。したがって、この場合は、仮に上記第２検知手段が廃棄物を検知したとしても、判定手段は、収容手段に収容された廃棄物の量が最大収容量に達したとは判定しない。
【００１５】
また、例えば、トナー像形成動作に伴って生じた廃棄物の量が想定よりも少なかった場合等であれば、上記カウント値が閾値以上となっても、上記第２検知手段が廃棄物を検知しないことがある。この場合も、収容手段の収容能力には、まだ余力があるものと推測できるので、判定手段は、収容手段に収容された廃棄物の量が最大収容量に達したとは判定しない。
【００１６】
つまり、カウント値が閾値以上となってること、第２検知手段によって廃棄物が検知されていること、以上二つの条件の内、いずれか一方のみが成立するだけでは、判定手段は、廃棄物の収容量が最大収容量に達したとは判定しない。一方、上記二つの条件双方が成立すれば、判定手段は、廃棄物の収容量が最大収容量に達したと判定する。
【００１７】
したがって、想定以上に短期間の内に二つの検知手段が廃棄物を検知した場合や、実際には二つの検知手段が廃棄物を検知していないのにカウント値が閾値に達した場合であれば、満杯であるとの判定を、より適正な時期まで遅らせることができる。
【００１８】
よって、単に二つの検知手段だけで廃棄物を検知するものや、廃棄物が満杯になったか否かをカウント値だけで判定するものに比べ、回収した廃棄物が満杯に至ったことを、より適切なタイミングで判断でき、収容手段の耐用寿命を延ばすことができるようになる。
【００１９】
ところで、本発明の画像形成装置において、前記判定手段は、前記カウント手段によってカウントされたカウント値が、あらかじめ設定された閾値以上となった場合に、前記収
容手段に収容された廃棄物の量が最大収容量に達したと判定すると好ましい。
【００２０】
この場合の閾値は、トナー像形成動作に伴って発生する廃棄物の量と、収容手段の収容能力との関係を考慮して、あらかじめ設定される値である。具体的には、この場合の閾値としては、上記カウント値がカウントアップされて閾値に達すれば、第２検知手段が廃棄物を検知していなくても収容手段が満杯になっている危険性がある、と推定される値が設定される。
【００２１】
以上のような画像形成装置において、カウント手段によってカウントされたカウント値が閾値以上となった場合には、第２検知手段によって廃棄物が検知されていなくても、収容手段に収容された廃棄物の量が最大収容量に達したと判定する。したがって、第２検知手段において適正な検知がなされなかった場合でも、収容手段が満杯になったことを判定できるようになる。
【００２２】
また、本発明の画像形成装置において、前記形成手段は、被記録媒体上に画像を形成する印刷動作を実行可能で、前記カウント手段は、前記形成手段が前記印刷動作を実行するたびに、前記印刷動作に対応づけて設定された第１加算値を前記カウント値に加算すると好ましい。
【００２３】
印刷動作は、いくつかあるトナー像形成動作の一つであり、具体的には、被記録媒体に対してトナー像が形成され、この印刷動作に伴って廃棄物が発生する。また、第１加算値は、印刷動作に伴って発生する廃棄物の量を想定してあらかじめ設定された値である。
【００２４】
このように構成された画像形成装置によれば、印刷動作に応じて発生する廃棄物の量が反映されたカウントアップを行うことができる。
また、本発明の画像形成装置において、前記形成手段は、色ずれ補正を行うための色ずれ補正動作を実行可能で、前記カウント手段は、前記形成手段が前記色ずれ補正動作を実行するたびに、前記色ずれ補正動作に対応づけて設定された第２加算値を前記カウント値に加算すると好ましい。
【００２５】
色ずれ補正動作は、いくつかあるトナー像形成動作の一つであり、具体的には、複数色に対応する複数のトナー像が形成されて、それら複数のトナー像のずれが計測され、この色ずれ補正動作に伴って廃棄物が発生する。また、第２加算値は、色ずれ補正動作に伴って発生する廃棄物の量を想定してあらかじめ設定された値である。
【００２６】
このように構成された画像形成装置によれば、色ずれ補正動作に応じて発生する廃棄物の量が反映されたカウントアップを行うことができる。
また、本発明の画像形成装置において、前記形成手段は、濃度補正を行うための濃度補正動作を実行可能で、前記カウント手段は、前記形成手段が前記濃度補正動作を実行するたびに、前記濃度補正動作に対応づけて設定された第３加算値を前記カウント値に加算すると好ましい。
【００２７】
濃度補正動作は、いくつかあるトナー像形成動作の一つであり、具体的には、トナー像が形成されて、そのトナー像の濃度が計測され、この濃度補正動作に伴って廃棄物が発生する。また、第３加算値は、色ずれ補正動作に伴って発生する廃棄物の量を想定してあらかじめ設定された値である。
【００２８】
このように構成された画像形成装置によれば、濃度補正動作に応じて発生する廃棄物の
量が反映されたカウントアップを行うことができる。
ちなみに、上述した第１加算値、第２加算値、および第３加算値の大小関係や絶対値は、画像形成装置の構造や動作態様の違いに起因して変わり得るので、一概には特定できないが、通常は、各動作毎の廃棄物の発生量に比例した各加算値が設定されていればよい。
【００２９】
あるいは、各動作毎の廃棄物の発生量に厳密に比例していなくても、各動作毎の廃棄物の発生量を近似できるような重み付けがなされていればよい。一例を挙げれば、例えば、各動作に対応付けてあらかじめ設定された係数をトナー形成動作の回数に乗算したものを、各加算値として採用してもよい。
【００３０】
また、本発明の画像形成装置において、前記カウント手段は、前記第１検知手段によって前記廃棄物が検知された後、当該第１検知手段が前記廃棄物を検知しない状態に変化した場合には、前記形成手段によるトナー像形成動作に基づくカウントダウンを開始すると好ましい。
【００３１】
カウントダウンによる減算は、第１検知手段が廃棄物を再び検知する状態になるか、カウント値がカウントアップを開始する前の初期値に至るまで継続される。第１検知手段が廃棄物を再び検知する状態になった場合、再びカウントアップが再開される。カウント値がカウントアップを開始する前の初期値に至った場合、第１検知手段が廃棄物を再び検知する状態になるまでは、カウント値は初期値（例えば、０）のまま維持される。
【００３２】
このように構成された画像形成装置において、第１検知手段が廃棄物を検知しない状態に変化した後、その状態がごく短期しか続かなかった場合には、第１検知手段が廃棄物を検知する状態にある方が、より正常である可能性が高い。この場合、カウント値は僅かにカウントダウンされるだけで、その後は再びカウントアップが再開されるので、過剰に満杯判定が遅れることがない。
【００３３】
また、第１検知手段が廃棄物を検知しない状態に変化した後、その状態が長期にわたって続いた場合には、第１検知手段が廃棄物を検知しない状態にある方が、より正常である可能性が高い。この場合、カウント値が大幅にカウントダウンされるので、一時的に開始されたカウントアップを相殺し、十分に満杯判定を遅らせることができる。
【００３４】
よって、上記のようなカウントダウンを実行することにより、第１検知手段が廃棄物を検知しない状態が、ごく短期しか続かなかった場合、長期にわたって続いた場合、いずれの場合とも、カウント値の信頼性を向上させることができる。
【００３５】
さらに、例えば、収容手段が交換可能な構造になっている場合、上記のようなカウントダウンを実行すれば、収容手段の交換に伴って第１検知手段が廃棄物を検知しない状態になり、何回かカウントダウンが実行されると、最終的にはカウント値が初期値に戻る。
【００３６】
したがって、単にカウントアップをするだけの場合とは異なり、収容手段の交換時にわざわざカウント値をリセットする（＝初期値に戻す）ような手間をかけなくてもよくなり、その分だけ制御を簡素化することができる。なお、上記のようなカウントダウンを実行した場合であっても、必要があれば、上記カウントダウンと上記リセットを双方とも採用できることはもちろんである。
【００３７】
また、本発明の画像形成装置において、前記形成手段は、被記録媒体上に画像を形成する印刷動作を実行可能で、前記カウント手段は、前記第１検知手段によって前記廃棄物が検知された後、当該第１検知手段が前記廃棄物を検知しない状態に変化した場合、前記形
成手段が前記印刷動作を実行するたびに、前記印刷動作に対応づけて設定された第１減算値を前記カウント値から減算すると好ましい。
【００３８】
印刷動作は、先に説明した通り、いくつかあるトナー像形成動作の一つであり、この印刷動作に伴って廃棄物が発生する。第１減算値は、あらかじめ設定された値で、例えば、印刷動作に伴って発生する廃棄物の量を想定した値（一例としては、先に説明した第１加算値と同値）を設定してもよいし、必要があれば別の値を設定してもよい。
【００３９】
このように構成された画像形成装置によれば、第１検知手段が廃棄物を検知しない状態に変化した場合、印刷動作を実行するたびにカウントダウンを行い、第１検知手段が廃棄物を再び検知する状態に至るまでの期間に応じてカウント値を補正できる。
【００４０】
また、第１減算値が、印刷動作に伴って発生する廃棄物の量を想定した値になっていれば、印刷動作に応じて発生する廃棄物の量が反映されたカウントダウンを行うことができる。
【００４１】
また、本発明の画像形成装置において、前記形成手段は、色ずれ補正を行うための色ずれ補正動作を実行可能で、前記カウント手段は、前記第１検知手段によって前記廃棄物が検知された後、当該第１検知手段が前記廃棄物を検知しない状態に変化した場合、前記形成手段が前記色ずれ補正動作を実行するたびに、前記色ずれ補正動作に対応づけて設定された第２減算値を前記カウント値から減算すると好ましい。
【００４２】
色ずれ補正動作は、先に説明した通り、いくつかあるトナー像形成動作の一つであり、この印刷動作に伴って廃棄物が発生する。第２減算値は、あらかじめ設定された値で、例えば、色ずれ補正動作に伴って発生する廃棄物の量を想定した値（一例としては、先に説明した第２加算値と同値）を設定してもよいし、必要があれば別の値を設定してもよい。
【００４３】
このように構成された画像形成装置によれば、第１検知手段が廃棄物を検知しない状態に変化した場合、色ずれ補正動作を実行するたびにカウントダウンを行い、第１検知手段が廃棄物を再び検知する状態に至るまでの期間に応じてカウント値を補正できる。
【００４４】
また、第２減算値が、色ずれ補正動作に伴って発生する廃棄物の量を想定した値になっていれば、色ずれ補正動作に応じて発生する廃棄物の量が反映されたカウントダウンを行うことができる。
【００４５】
また、本発明の画像形成装置において、前記形成手段は、濃度補正を行うための濃度補正動作を実行可能で、前記カウント手段は、前記第１検知手段によって前記廃棄物が検知された後、当該第１検知手段が前記廃棄物を検知しない状態に変化した場合、前記形成手段が前記濃度補正動作を実行するたびに、前記濃度補正動作に対応づけて設定された第３減算値を前記カウント値から減算すると好ましい。
【００４６】
濃度補正動作は、先に説明した通り、いくつかあるトナー像形成動作の一つであり、この濃度補正動作に伴って廃棄物が発生する。第３減算値は、あらかじめ設定された値で、例えば、濃度補正動作に伴って発生する廃棄物の量を想定した値（一例としては、先に説明した第３加算値と同値）を設定してもよいし、必要があれば別の値を設定してもよい。
【００４７】
このように構成された画像形成装置によれば、第１検知手段が廃棄物を検知しない状態に変化した場合、濃度補正動作を実行するたびにカウントダウンを行い、第１検知手段が廃棄物を再び検知する状態に至るまでの期間に応じてカウント値を補正できる。
【００４８】
また、第３減算値が、濃度補正動作に伴って発生する廃棄物の量を想定した値になっていれば、濃度補正動作に応じて発生する廃棄物の量が反映されたカウントダウンを行うことができる。
【００４９】
ちなみに、上述した第１減算値、第２減算値、および第３減算値の大小関係や絶対値も、加算値の場合と同様の理由から一概には特定できないが、一例としては、各動作毎の廃棄物の発生量に比例した各減算値が設定されていればよい。
【００５０】
あるいは、各動作毎の廃棄物の発生量に厳密に比例していなくても、各動作毎の廃棄物の発生量を近似できるような重み付けがなされていればよい。一例を挙げれば、例えば、各動作に対応付けてあらかじめ設定された係数をトナー形成動作の回数に乗算したものを、各減算値として採用してもよい。
【００５１】
また、本発明の画像形成装置においては、前記第１検知手段が前記廃棄物を検知する状態となったときに、当該状態となったことを報知する報知手段を備えると好ましい。
このように構成された画像形成装置によれば、収容手段が満杯になる時期が近づいたことを、利用者が察知できる。
【００５２】
また、本発明の画像形成装置においては、前記判定手段によって前記収容手段に収容された廃棄物の量が最大収容量に達したと判定された場合に、前記形成手段によるトナー像形成動作を禁止する禁止手段を備えると好ましい。
【００５３】
このように構成された画像形成装置によれば、収容手段から廃棄物が溢れる前に、確実に形成手段によるトナー像形成動作を停止させることができる。
また、本発明の画像形成装置においては、前記二つの検知手段が前記廃棄物を検知しない状態に変化した場合には、前記禁止手段による禁止を解除する解除手段を備えると好ましい。
【００５４】
このように構成された画像形成装置によれば、二つの検知手段が廃棄物を検知しない状態になれば、他に特別な指示を与えなくても、禁止手段によるトナー像形成動作の禁止が解除され、形成手段によるトナー像形成動作を再開させることができる。
【００５５】
したがって、例えば、収容手段が交換可能な構造になっている場合には、新品の収容手段と交換するだけで、他に特別な指示を与えなくても、形成手段によるトナー像形成動作を再開させることができる。
【００５６】
また、本発明の画像形成装置において、前記収容手段は、画像形成装置本体に対し、着脱可能に設けられていると好ましい。
このように構成された画像形成装置によれば、収容手段の着脱に伴って、二つの検知手段による検知状態に変化が生じても、その変化に応じてカウント値が補正されるので、状態変化が起きる前のカウント値の影響で不適切な判定が行われてしまうのを回避できる。
【００５７】
また、本発明の画像形成装置は、トナー像を形成可能な形成手段と、前記形成手段によるトナー像形成動作に伴って発生する廃棄物を回収するクリーニング手段と、前記クリーニング手段によって回収された廃棄物を収容する収容手段と、前記収容手段に収容された廃棄物を検知する検知手段と、前記検知手段によって前記廃棄物が検知されている場合に、前記収容手段を交換する旨を報知する報知手段とを備え、前記クリーニング手段は、前
記収容手段に設けられ、かつ当該画像形成装置本体に対し、前記収容手段とともに着脱可能となっていると好ましい。
【００５８】
このように構成された画像形成装置によれば、検知手段が収容手段に収容された廃棄物を検知して、報知手段が収容手段の交換を促すので、クリーニング手段は収容手段とともに交換されることになる。したがって、結果的に廃棄物の回収量を考慮してクリーニング手段が交換されるように促すことができる。
【発明を実施するための最良の形態】
【００５９】
次に、本発明の実施形態について一例を挙げて説明する。
［画像形成装置の概略構造］
図１は、画像形成装置１の概略構造を示す縦断面図である。この画像形成装置１は、通常、図１中の右側が前面、図１中の左側が後面となるように設置して利用されるものであり、図１は、画像形成装置１を左側面側から見た図となっている。以下では、画像形成装置１が備える構成を、図１中に示した上下前後の方向を利用して説明する。
【００６０】
画像形成装置１は、電子写真方式で被記録媒体に対して画像を形成する装置であり、一般にレーザープリンタと呼ばれるものである。この画像形成装置１には、給紙部３、画像形成部５、定着部７、および排紙部９などが設けられている。
【００６１】
給紙部３は、カット紙等の被記録媒体を供給する部分で、この給紙部３から供給される被記録媒体が画像形成部５へ搬送されるようになっている。また、画像形成部５（本発明でいう形成手段の一例に相当）は、カラー印刷ができるもので、レーザースキャナ１１、現像トナーカートリッジ１３Ｋ、１３Ｙ、１３Ｍ、１３Ｃ、搬送ベルト１５などを備えている。
【００６２】
画像形成部５では、各現像トナーカートリッジ１３Ｋ、１３Ｙ、１３Ｍ、１３Ｃ毎にレーザースキャナ１１による静電潜像が形成される。そして、その潜像が各現像トナーカートリッジ１３Ｋ、１３Ｙ、１３Ｍ、１３Ｃ内のトナーによって現像され、現像されたトナー像が搬送ベルト１５によって搬送される被記録媒体に対して転写される。
【００６３】
定着部７は、被記録媒体を一対のローラ間に挟み込んで、トナー像に対する加熱・加圧を施すことにより、トナー像を被記録媒体に対して定着させる部分である。排紙部９は、定着部７から送り出された被記録媒体が排出される部分である。
【００６４】
搬送ベルト１５の下方には、画像形成部５によるトナー像形成動作に伴って発生する廃トナーや紙粉を含む廃棄物を収容可能な廃棄物ボックス１９（本発明でいう収容手段の一例に相当）が設けられている。
【００６５】
また、廃棄物ボックス１９には、搬送ベルト１５から廃棄物を回収するクリーニング機構２１（本発明でいうクリーニング手段の一例に相当）と、クリーニング機構２１によって回収された廃棄物を廃棄物ボックス１９の後方へ送り込む楕円ロータ２２とが設けられている。
【００６６】
クリーニング機構２１は、クリーニングローラ２６と、クリーニングシャフト２７と、ブレード２８とを備えている。
クリーニングローラ２６は、搬送ベルト１５に接触配置され、搬送ベルト１５の回転方向（図１においては反時計回り）に対し逆回転しながら搬送ベルト１５に付着した廃棄物
を回収する。
【００６７】
クリーニングシャフト２７は、クリーニングローラ２６に接触配置され、廃棄物が帯びている電荷と反対の電荷が印加された状態でクリーニングローラ２６に付着した廃棄物を自身に転写して回収する。
【００６８】
ブレード２８は、クリーニングシャフト２７に接触配置され、クリーニングシャフト２７に付着した廃棄物を掻き落とす。
以上のようにして、クリーニング機構２１は、廃棄物ボックス１９内に廃棄物を回収する。
【００６９】
楕円ロータ２２は、楕円上の断面形状を有し、この断面に対して直交する回転軸周りに回転し、ブレード２８によって掻き落とされた廃棄物を、廃棄物ボックス１９内後方に送り込む。
【００７０】
廃棄物ボックス１９の後方端下方には、廃棄物センサ２３、２４（本発明でいう第１検知手段および第２検知手段の一例に相当）が配設されている。この廃棄物センサ２３、２４は、いずれも一対の投光部と受光部とを備えたフォトインタラプタである。
【００７１】
上記廃棄物ボックス１９の一部は、廃棄物センサ２３、２４の投光部−受光部間に入り込むような形状とされている。その廃棄物ボックス１９の一部に楕円ロータ２２によって送り込まれてきた廃棄物が溜まると、廃棄物センサ２３、２４の投光部−受光部間にある光路が遮られる。その結果、廃棄物センサ２３、２４は、廃棄物ボックス１９に収容された廃棄物を検知する状態になる。
【００７２】
また、廃棄物ボックス１９は、図２に示すように、画像形成装置１本体に対し、着脱可能な構造になっていて、画像形成装置１の前面側にある開閉部２５を開くことにより、新たな廃棄物ボックス１９と交換できるようになっている。まず画像形成部５が水平方向前方へ引き抜かれ、次いで搬送ベルト１５が前方へ引き抜かれた後、古い廃棄物ボックス１９が画像形成装置１本体から取り外される。廃棄物ボックス１９に設けられたクリーニング機構２１および楕円ロータ２２の双方も、廃棄物ボックス１９とまとめて交換されることになる。
【００７３】
また、廃棄物ボックス１９は、新しい廃棄物ボックス１９に交換されてから廃棄物によって満杯にされる（後述する「廃棄物フル」と判定される）までの期間が、新しい廃棄物ボックス１９に交換されてからクリーニング機構２１が劣化して回収能力が無くなるまでの期間と同等もしくは少し短くなるような大きさとなっている。
【００７４】
［画像形成装置の制御系］
次に、画像形成装置１の制御系について、図３に基づいて説明する。図３は、画像形成装置１の制御系を示すブロック図である。
【００７５】
画像形成装置１は、画像形成装置１の各部を制御する制御部３１を備えている。この制御部３１は、周知のマイクロコンピュータを中心に構成されたものである。制御部３１には、上述した廃棄物センサ２３、２４の他、操作パネル３３や画像形成装置１内に設けられたモータ・ソレノイド３５などが接続され、これらが制御部３１からの制御信号によって制御されるようになっている。
【００７６】
また、制御部３１が備える不揮発性メモリ（例えばＲＯＭ等）には、各種制御プログラ
ムが記憶され、この制御プログラムに従って制御部３１が備えるＣＰＵが各種処理を実行するようになっている。
【００７７】
より具体的には、本実施形態において、制御部３１は、印刷枚数や補正実施回数に基づいて推定回収量（本発明でいうカウント値の一例に相当）を算出する処理を実行する。推定回収量は、廃棄物ボックス１９に収容された廃棄物の量を表す数値であり、廃トナーの他、紙粉などの量が反映された数値となる。
【００７８】
また、制御部３１は、上記推定回収量と廃棄物センサ２３、２４からの検知信号に基づいて廃棄物ボックス１９における廃棄物の収容状態を判定する処理を実行する。本実施形態において、廃棄物の収容状態は、エンプティ、ニアフル、フルのいずれかとなる。
【００７９】
これらの内、エンプティは、廃棄物ボックス１９の収容能力にまだ余裕があることを示している。また、ニアフルは、廃棄物ボックス１９の収容能力に僅かに余裕があるものの、満杯時期が近づいていることを示している。フルは、廃棄物ボックス１９が満杯に達し、収容能力が無くなったことを示している。
【００８０】
また、制御部３１は、上記収容状態の判定結果に応じて、操作パネル３３に警告やエラーを表示する処理、モータ・ソレノイド３５に作動制限をかける処理なども実行する。なお、以上のような各種処理の詳細については、後でさらに詳しく説明する。
【００８１】
［収容状態の判定方法の概要］
次に、画像形成装置１において実行される収容状態の判定方法の概要について、図４に基づいて説明する。
【００８２】
本実施形態において、画像形成装置１は、廃棄物ボックス１９に収容された廃棄物の量が満杯に近づくと「ニアフル」と判定し、続いて、廃棄物ボックス１９に収容された廃棄物の量が満杯になると「フル」と判定するように構成されている。これら「ニアフル」および「フル」と判定されるタイミングには、図４に示すような３通りのケースがある。
【００８３】
具体的には、「ニアフル」と判定するタイミングは、各ケースとも同じである。すなわち、廃棄物センサ２３、２４が双方とも廃棄物を検知していない状態（図４中の検知無し）から、いずれか一方が廃棄物を検知する状態（図４中の１個検知）に変化した場合、そのタイミングで「ニアフル」と判定する。「ニアフル」と判定された場合、廃棄物ボックス１９の交換時期が近づいていることを示す警告が、操作パネル３３に表示される。
【００８４】
また、「ニアフル」と判定されたら、その時点から、推定回収量のカウントアップが開始される。また、推定回収量はカウントダウンされることもあるが、この詳細については後述する。
【００８５】
なお、推定回収量のカウント方法として、トナー像形成動作（印刷動作、色ずれ補正動作、濃度補正動作など）が画像形成部５で実行されるたびに、あらかじめ設定された値（本発明でいう第１〜第３加算値または第１〜第３減算値の一例に相当）が加算または減算される。
【００８６】
こうして「ニアフル」と判定された後、何回かカウントアップが繰り返されると、最終的には「フル」と判定されることになるが、「フル」と判定されるタイミングは、図４に示す３通りのケースそれぞれで異なる。
【００８７】
図４（ａ）に示したケース１の場合、まず、推定回収量のカウントアップに伴って推定
回収量が最低印字保証量Ｘに達する。ただし、この時点では、まだ他方の廃棄物センサが廃棄物を検知していない状態（図４（ａ）中の１個検知）にあるので、「フル」と判定されない。
【００８８】
ここで「フル」と判定しないのは、推定回収量が最低印字保証量Ｘに達していても、他方の廃棄物センサが廃棄物を検知していなければ、廃棄物ボックス１９の収容能力に余力があると推定されるからである。
【００８９】
そして、その後、さらに廃棄物が回収されるのに伴い、他方の廃棄物センサが廃棄物を検知する状態（図４中の２個検知）に変化した場合、そのタイミングで「フル」と判定される。
【００９０】
「フル」と判定された場合、廃棄物ボックス１９の交換時期に至ったことを示す警告が、操作パネル３３に表示される。また、「フル」と判定された場合、廃棄物ボックス１９が交換されるまで、モータ・ソレノイド３５に作動制限がかけられ、画像形成部５は、トナー像形成動作を禁止される。
【００９１】
図４（ｂ）に示したケース２の場合、まず、他方の廃棄物センサが廃棄物を検知する状態（図４（ｂ）中の２個検知）に変化する。ただし、この時点では、まだ推定回収量が最低印字保証量Ｘに達していないので、「フル」と判定されない。
【００９２】
ここで「フル」と判定しないのは、推定回収量が最低印字保証量Ｘに達していなければ、廃棄物ボックス１９の収容能力に余力があると推定されるからである。つまり、他方のセンサが廃棄物を検知する状態に変化したのは、廃棄物ボックス１９に回収された廃棄物が均一に堆積したのではなく、偏って堆積したと推定されるからである。
【００９３】
その後、さらに廃棄物が回収されるのに伴い、推定回収量が最低印字保証量Ｘに達したら、そのタイミングで「フル」と判定される。なお、「フル」と判定された場合に行われる警告表示や作動制限は、ケース１の場合と同じである。
【００９４】
図４（ｃ）に示したケース３の場合、まず、推定回収量のカウントアップに伴って推定回収量が最低印字保証量Ｘに達する。ただし、この時点では、まだ他方の廃棄物センサが廃棄物を検知していない状態（図４（ｃ）中の１個検知）にあるので、ケース１の場合と同じく「フル」と判定されない。
【００９５】
その後、他方の廃棄物センサが廃棄物を検知していない状態のまま、推定回収量のカウントアップに伴って推定回収量が最大推定回収量Ｙに達したら、そのタイミングで「フル」と判定される。すなわち、ケース３の場合、他方の廃棄物センサが廃棄物を検知する状態（図４（ｃ）中の２個検知）に変化していなくても、「フル」と判定することになる。
【００９６】
ここで「フル」と判定するのは、推定回収量が最大推定回収量Ｙに達していれば、廃棄物ボックス１９が満杯に達している可能性があり、他方のセンサの故障等で、他方のセンサが廃棄物を検知できていない可能性があると推定されるからである。なお、「フル」と判定された場合に行われる警告表示や作動制限は、ケース１、２の場合と同じである。
【００９７】
［画像形成装置において実行される処理］
次に、上記のような収容状態判定を行うために画像形成装置１において実行される処理について、図５〜図１３のフローチャートに基づいて説明する。
【００９８】
［初期処理］
まず、画像形成装置１の電源スイッチがオンとなった時に実行される初期処理について、図５に基づいて説明する。この初期処理を開始すると、制御部３１は、まず、ＮＶＲＡＭから各種印刷枚数カウンタを取得する（Ｓ１０１）。
【００９９】
ＮＶＲＡＭは、制御部３１が備える不揮発性メモリで、このＮＶＲＡＭには、通常印刷枚数カウンタ、レジストレーション補正用印刷枚数カウンタ、および濃度補正用印刷枚数カウンタの各値が記憶されている。Ｓ１０１の処理では、これら各カウンタ値が取得される。
【０１００】
通常印刷枚数カウンタは、画像形成部５において１枚の被記録媒体に対する印刷動作が実行される毎に、１ずつカウントアップまたはカウントダウンされるカウンタである。カウントアップされるかカウントダウンされるかは、後述するＳ７０３の処理での判断によって分かれるが、この点はＳ７０３の処理についての説明の中で詳述する。
【０１０１】
レジストレーション補正用印刷枚数カウンタは、画像形成部５において色ずれ補正動作が実行される毎に、１ずつカウントアップまたはカウントダウンされるカウンタである。濃度補正用印刷枚数カウンタは、画像形成部５において濃度補正動作が実行される毎に、１ずつカウントアップまたはカウントダウンされるカウンタである。これらについても、Ｓ７０３の処理についての説明の中で詳述する。
【０１０２】
なお、Ｓ１０１の処理で取得された各カウンタ値は、画像形成装置１が前回作動した時の最終的な値であり、この値が後述する処理の中で今回の初期値として利用されることにより、今回の処理において前回からの累積値が利用されることになる。
【０１０３】
続いて、制御部３１は、ＮＶＲＡＭから前回の廃棄物ボックス１９における収容状態を取得する（Ｓ１０３）。この収容状態は、エンプティ、ニアフル、フル、以上三種の状態のいずれかを示す情報で、この収容状態も画像形成装置１が前回作動した時の最終的な状態が、Ｓ１０３の処理によって取得されることになる。なおＳ１０３の処理を終えたら、図５に示す処理については終了する。
【０１０４】
［ウォーミングアップ処理］
次に、ウォーミングアップ処理について、図６に基づいて説明する。このウォーミングアップ処理は、画像形成装置１の電源スイッチがオンとなった時や、一時的にスリープ状態に移行していた画像形成装置１に対して所定の入力（例えば、データ受信や操作パネル３３での操作等）があった場合に実行される処理である。
【０１０５】
ウォーミングアップ処理を開始すると、制御部３１は、まず、クリーニング処理を実行する（Ｓ２０１）。このＳ２０１の処理は、この種の画像形成装置において実行される周知の処理なので、本明細書での詳細な説明が省略するが、このＳ２０１の処理により、上述したクリーニング機構２１によって搬送ベルト１５がクリーニングされたりする。
【０１０６】
続いて、制御部３１は、廃棄物センサ２３、２４による検知処理を実行する（Ｓ２０３）。このＳ２０３の検知処理は、詳しくは図７に示すような処理となる。なお、以下に説明する検知処理の中で、二つある廃棄物センサ２３、２４は互いに代替可能な構成として扱うことができるので、以下の説明においては、二つある廃棄物センサ２３、２４の内、一方をセンサ＃１、他方をセンサ＃２と称する。
【０１０７】
図７に示す検知処理を開始すると、制御部３１は、まず、センサ＃１で廃棄物を検知しているか否か（すなわち、センサ＃１＝フルか否か）を判断する（Ｓ３０１）。ここで、センサ＃１＝フルであった場合（Ｓ３０１：ＹＥＳ）、引き続いて、センサ＃２で廃棄物
を検知しているか否か（すなわち、センサ＃２＝フルか否か）を判断する（Ｓ３０３）。
【０１０８】
Ｓ３０３の処理で、センサ＃２＝フルであった場合（Ｓ３０３：ＹＥＳ）、検知状態としてフルが設定されて（Ｓ３０５）、図７に示す処理を終了する。一方、Ｓ３０３の処理で、センサ＃２＝フルではなかった場合（Ｓ３０３：ＮＯ）、検知状態としてニアフルが設定されて（Ｓ３０７）、図７に示す処理を終了する。なお、上記Ｓ３０５、Ｓ３０７、Ｓ３１１の処理で設定される検知状態は、後述するＳ２０７の収容状態の判定処理（図８〜図１０参照）中の条件判断で利用される情報である。
【０１０９】
上述したＳ３０１の処理において、センサ＃１＝フルではなかった場合（Ｓ３０１：ＮＯ）、引き続いて、センサ＃２で廃棄物を検知しているか否か（すなわち、センサ＃２＝フルか否か）を判断する（Ｓ３０９）。
【０１１０】
Ｓ３０９の処理で、センサ＃２＝フルであった場合（Ｓ３０３：ＹＥＳ）、検知状態としてニアフルが設定されて（Ｓ３０７）、図７に示す処理を終了する。一方、Ｓ３０９の処理で、センサ＃２＝フルではなかった場合（Ｓ３０９：ＮＯ）、検知状態としてエンプティが設定されて（Ｓ３１１）、図７に示す処理を終了する。
【０１１１】
以上のようにして図７に示す検知処理を終了すると、検知状態として、フル、ニアフル、エンプティのいずれかが設定されることになる。
図６に示したウォーミングアップ処理におけるＳ２０３の検知処理を終え、続いて、制御部３１は、廃棄物の推定回収量を算出する処理を実行する（Ｓ２０５）。
【０１１２】
Ｓ２０５の処理では、Ｓ１０１の処理（図５参照）で取得した三種のカウンタ値それぞれに対し、トナー像形成動作（印刷動作、色ずれ補正動作、濃度補正動作）毎の廃棄物発生量に応じた係数ｋ、ｐ、ｑ（各係数はいずれもあらかじめ設定された定数）を乗算する。そして、それらの総和（＝印刷動作回数×ｋ＋色ずれ補正動作回数×ｐ＋濃度補正動作回数×ｑ）が、廃棄物の推定回収量として算出される。
【０１１３】
なお、本実施形態においては、印刷動作、色ずれ補正動作、および濃度補正動作それぞれが実行されるたびに、１ずつカウントアップまたはカウントダウンされるカウンタを備えている。そのため、上記Ｓ２０５の処理では、上記のような演算を行っているが、このような演算を行うか否かは種々設計変更が可能である。
【０１１４】
例えば、１回の印刷動作、色ずれ補正動作、および濃度補正動作それぞれが実行されるたびに、上記値ｋ、ｐ、ｑが加算または減算されるカウンタを備えれば、Ｓ２０５の処理では、それら３つのカウンタ値の総和を求めるだけで、推定回収量を算出できる。また、それら３つのカウンタ値の総和に相当する値を保持するカウンタを設けてあれば、Ｓ２０５の処理では、そのカウンタ値を読み取るだけで、推定回収量を算出できる。
【０１１５】
これらは、いずれの具体的構成を採用したとしても、推定回収量のカウントアップまたはカウントダウンを行う手段として機能するものなので、いずれの例とも、本発明でいうカウント手段の一例に相当する。
【０１１６】
なお、通常の印刷動作を行う場合であれば、１ページ分の被記録媒体に対してトナー像を形成する処理が実行される。また、例えば、色ずれ補正動作や濃度補正動作を行う場合であれば、搬送ベルト１５に対して直接トナー像を形成する処理が実行される。したがって、色ずれ補正動作および濃度補正動作を行うほうが、通常の印刷動作を行うよりも、発生する廃棄物の量が多くなる。このため、トナー像形成動作（印刷動作、色ずれ補正動作
、濃度補正動作）毎の廃棄物発生量に応じた係数ｋ、ｐ、ｑは、ｋ＜ｐ、ｑの関係となるように設定される。
【０１１７】
以上のような推定回収量を算出したら、続いて、制御部３１は、廃棄物ボックス１９の収容状態の判定処理を行う（Ｓ２０７）。なお、Ｓ２０７の判定処理を実行する制御部３１は、本発明でいう判定手段の一例に相当する。
【０１１８】
Ｓ２０７の判定処理は、判定前の収容状態（例えば、図５に示すＳ１０３の処理で取得された「前回の収容状態」）が、エンプティ、ニアフル、フルのいずれであるかに応じて異なる処理が実行されることになる。以下、それら各判定処理を図８〜図１０を参照しながら順に説明する。まず、判定前の収容状態がエンプティであった場合について、Ｓ２０７の判定処理の詳細を説明する。この場合、Ｓ２０７の判定処理は図８に示すような処理となる。
【０１１９】
図８に示す処理を開始すると、制御部３１は、Ｓ２０３の検知処理（図７参照）で設定された検知状態がフルか否かを判断する（Ｓ４０１）。Ｓ４０１の処理において、検知状態＝フルであった場合（Ｓ４０１：ＹＥＳ）、制御部３１は、推定回収量≧最低印字保証量Ｘであるか否かを判断する（Ｓ４０３）。
【０１２０】
ここで、最低印字保証量Ｘとして、推定回収量がカウントアップされても最低印字保証量Ｘに達するまで廃棄物ボックス１９が満杯になることはあり得ない、と推定される値があらかじめ設定されている。
【０１２１】
したがって、推定回収量≧最低印字保証量Ｘである場合は（Ｓ４０３：ＹＥＳ）、廃棄物ボックス１９が満杯になっている可能性が高いので、ＮＶＲＡＭの収容状態記憶領域にフルを記憶し（Ｓ４０５）、収容状態＝フルを設定し（Ｓ４０７）、図８に示す判定処理を終了する。このＳ４０７の処理により、判定前の収容状態＝エンプティは、収容状態＝フルに更新されることになる。
【０１２２】
一方、Ｓ４０３の処理で、推定回収量≧最低印字保証量Ｘでない場合は（Ｓ４０３：ＮＯ）、センサ＃１、＃２が双方とも廃棄物を検知しているものの、推定回収量が最低印字保証量Ｘに達するほどカウントアップされていない状態になっている。
【０１２３】
したがって、この場合は、センサ＃１、＃２が廃棄物を検知しているものの、廃棄物ボックス１９の収容能力にはまだ余裕があると判断し、収容状態＝ニアフルを設定し（Ｓ４０９）、図８に示す処理を終了する。このＳ４０９の処理により、判定前の収容状態＝エンプティは、収容状態＝ニアフルに更新されることになる。
【０１２４】
また、Ｓ４０１の処理において、検知状態＝フルでなかった場合（Ｓ４０１：ＮＯ）、制御部３１は、Ｓ２０３の検知処理で設定された検知状態がニアフルか否かを判断する（Ｓ４１１）。Ｓ４１１の処理において、検知状態＝ニアフルであった場合（Ｓ４１１：ＹＥＳ）、制御部３１は、推定回収量≧最大推定回収量Ｙであるか否かを判断する（Ｓ４１３）。
【０１２５】
ここで、最大推定回収量Ｙとして、推定回収量がカウントアップされて最大推定回収量Ｙに達すれば、センサ＃１、＃２のいずれか一方が廃棄物を検知していなくても廃棄物ボックス１９が満杯になっている可能性が高い、と推定される値があらかじめ設定されている。
【０１２６】
したがって、推定回収量≧最大推定回収量Ｙである場合は（Ｓ４１３：ＹＥＳ）、廃棄
物ボックス１９が満杯になっている可能性が高いので、ＮＶＲＡＭの収容状態記憶領域にフルを記憶し（Ｓ４０５）、収容状態＝フルを設定し（Ｓ４０７）、図８に示す判定処理を終了する。このＳ４０７の処理により、判定前の収容状態＝エンプティは、収容状態＝フルに更新されることになる。
【０１２７】
一方、Ｓ４１３の処理で、推定回収量≧最大推定回収量Ｙでない場合は（Ｓ４１３：ＮＯ）、センサ＃１、＃２のいずれかが廃棄物を検知しておらず、推定回収量も最大推定回収量Ｙに達するほどカウントアップされていない状態になっている。
【０１２８】
したがって、この場合は、廃棄物ボックス１９の収容能力にはまだ余裕があると判断し、収容状態＝ニアフルを設定し（Ｓ４１５）、図８に示す判定処理を終了する。このＳ４１５の処理により、判定前の収容状態＝エンプティは、収容状態＝ニアフルに更新されることになる。
【０１２９】
なお、Ｓ４１１の処理において、検知状態＝ニアフルでなかった場合（Ｓ４１１：ＮＯ）、そのまま図８に示す判定処理を終了する。その結果、判定前の収容状態＝エンプティは、そのまま維持されることになる。
【０１３０】
次に、判定前の収容状態がニアフルであった場合について、ウォーミングアップ処理（図６参照）におけるＳ２０７の判定処理の詳細を説明する。この場合、Ｓ２０７の判定処理は図９に示すような処理となる。
【０１３１】
図９に示す判定処理を開始すると、制御部３１は、Ｓ２０３の検知処理（図７参照）で設定された検知状態がフルか否かを判断する（Ｓ５０１）。Ｓ５０１の処理において、検知状態＝フルであった場合（Ｓ５０１：ＹＥＳ）、制御部３１は、推定回収量≧最低印字保証量Ｘであるか否かを判断する（Ｓ５０３）。
【０１３２】
推定回収量≧最低印字保証量Ｘである場合（Ｓ５０３：ＹＥＳ）、廃棄物ボックス１９が満杯になっている可能性が高いので、ＮＶＲＡＭの収容状態記憶領域にフルを記憶し（Ｓ５０５）、収容状態＝フルを設定し（Ｓ５０７）、図９に示す判定処理を終了する。このＳ５０７の処理により、判定前の収容状態＝ニアフルは、収容状態＝フルに更新されることになる。
【０１３３】
一方、Ｓ５０３の処理で、推定回収量≧最低印字保証量Ｘでない場合は（Ｓ５０３：ＮＯ）、センサ＃１、＃２が双方とも廃棄物を検知しているものの、推定回収量が最低印字保証量Ｘに達するほどカウントアップされていない状態になっている。
【０１３４】
したがって、この場合は、センサ＃１、＃２が廃棄物を検知しているものの、廃棄物ボックス１９の収容能力にはまだ余裕があると判断し、そのまま図９に示す判定処理を終了する。その結果、判定前の収容状態＝エンプティは、そのまま維持されることになる。
【０１３５】
また、Ｓ５０１の処理において、検知状態＝フルでなかった場合（Ｓ５０１：ＮＯ）、制御部３１は、Ｓ２０３の検知処理で設定された検知状態がニアフルか否かを判断する（Ｓ５０９）。Ｓ５０９の処理において、検知状態＝ニアフルであった場合（Ｓ５０９：ＹＥＳ）、制御部３１は、推定回収量≧最大推定回収量Ｙであるか否かを判断する（Ｓ５１１）。
【０１３６】
推定回収量≧最大推定回収量Ｙである場合は（Ｓ５１１：ＹＥＳ）、廃棄物ボックス１９が満杯になっている可能性が高いので、ＮＶＲＡＭの収容状態記憶領域にフルを記憶し（Ｓ５１３）、収容状態＝フルを設定し（Ｓ５１５）、図９に示す判定処理を終了する。
このＳ５１５の処理により、判定前の収容状態＝エンプティは、収容状態＝フルに更新されることになる。
【０１３７】
一方、Ｓ５１１の処理で、推定回収量≧最大推定回収量Ｙでない場合は（Ｓ５１１：ＮＯ）、センサ＃１、＃２のいずれかが廃棄物を検知しておらず、推定回収量も最大推定回収量Ｙに達するほどカウントアップされていない状態になっている。
【０１３８】
したがって、この場合は、廃棄物ボックス１９の収容能力にはまだ余裕があると判断し、そのまま図９に示す判定処理を終了する。その結果、判定前の収容状態＝ニアフルは、そのまま維持されることになる。
【０１３９】
一方、Ｓ５０９の処理において、検知状態＝ニアフルでなかった場合（Ｓ５０９：ＮＯ）、収容状態＝エンプティを設定し（Ｓ５１７）、図９に示す判定処理を終了する。このＳ５１７の処理により、判定前の収容状態＝ニアフルは、収容状態＝エンプティに更新されることになる。
【０１４０】
次に、判定前の収容状態がフルであった場合について、ウォーミングアップ処理（図６参照）におけるＳ２０７の判定処理の詳細を説明する。この場合、Ｓ２０７の判定処理は図１０に示すような処理となる。
【０１４１】
図１０に示す判定処理を開始すると、制御部３１は、Ｓ２０３の検知処理（図７参照）で設定された検知状態がエンプティか否かを判断する（Ｓ６０１）。Ｓ６０１の処理において、検知状態＝エンプティであった場合（Ｓ６０１：ＹＥＳ）、廃棄物ボックス１９の交換が行われたものと考えられるので、制御部３１は、各種印刷枚数カウンタをクリアし、ＮＶＲＡＭに記憶する（Ｓ６０３）。
【０１４２】
そして、ＮＶＲＡＭの収容状態記憶領域にエンプティを記憶し（Ｓ６０５）、収容状態＝エンプティを設定し（Ｓ６０７）、図１０に示す判定処理を終了する。このＳ６０７の処理により、判定前の収容状態＝フルは、収容状態＝エンプティに更新されることになる。
【０１４３】
なお、Ｓ６０１の処理において、検知状態＝エンプティでなかった場合（Ｓ６０１：ＮＯ）、そのまま図１０に示す判定処理を終了する。その結果、判定前の収容状態＝フルは、そのまま維持されることになる。
【０１４４】
以上説明した通り、図８〜図１０に示す廃棄物ボックス１９における廃棄物の収容状態の判定処理は、判定前の収容状態に応じていずれかが実行される。
図６に戻り、制御部３１は、Ｓ２０７の判定処理で更新または維持された収容状態について、収容状態＝フルか否かを判断する（Ｓ２０９）。
【０１４５】
Ｓ２０９の処理において、収容状態＝フルであった場合（Ｓ２０９：ＹＥＳ）、制御部３１は、操作パネル３３に対する表示制御を行うことにより、利用者に対する廃棄物フルの通知を行う（Ｓ２１１）。そして、トナー像形成動作を禁止するエラー停止処理を実行して（Ｓ２１３）、図６に示すウォーミングアップ処理を終了する。
【０１４６】
その結果、画像形成装置１は、ウォーミングアップ動作の段階で、利用者に対する廃棄物フルの通知を行い、以降、画像形成装置１においてトナー像形成動作を伴う機能の利用ができない状態になる。なお、Ｓ２１１の処理を実行する制御部３１ないし操作パネル３３は、本発明でいう報知手段の一例に相当する。また、Ｓ２１３の処理を実行する制御部
３１は、本発明でいう禁止手段の一例に相当する。
【０１４７】
一方、Ｓ２０９の処理において、収容状態＝フルでなかった場合（Ｓ２０９：ＮＯ）、制御部３１は、Ｓ２０７の判定処理で更新または維持された収容状態について、収容状態＝ニアフルか否かを判断する（Ｓ２１５）。
【０１４８】
Ｓ２１５の処理において、収容状態＝ニアフルであった場合（Ｓ２１５：ＹＥＳ）、制御部３１は、操作パネル３３に対する表示制御を行うことにより、利用者に対する廃棄物ニアフルの通知を行う（Ｓ２１７）。そして、トナー像形成動作を許可して（Ｓ２１９）、図６に示す処理を終了する。
【０１４９】
その結果、画像形成装置１は、ウォーミングアップ動作の段階で、収容状態＝ニアフルであれば、利用者に対する廃棄物ニアフルの通知を行い、以降、画像形成装置１においてトナー像形成動作を伴う機能の利用ができる状態になる。なお、Ｓ２１７の処理を実行する制御部３１ないし操作パネル３３は、本発明でいう報知手段の一例に相当する。また、Ｓ２１９の処理を実行する制御部３１は、本発明でいう解除手段の一例に相当する。
【０１５０】
また、Ｓ２１５の処理において、収容状態＝ニアフルでなかった場合（Ｓ２１５：ＮＯ）、制御部３１は、トナー像形成動作を許可して（Ｓ２１９）、図６に示す処理を終了する。その結果、画像形成装置１は、廃棄物収容状態に関する通知は行わず、以降、画像形成装置１においてトナー像形成動作を伴う機能の利用ができる状態になる。
【０１５１】
［各種印刷処理］
次に、各種印刷処理について、図１１に基づいて説明する。この各種印刷処理は、画像形成装置１に対して所定の入力（例えば、印刷データ受信や操作パネル３３での色ずれ補正指令、濃度補正指令等）があった場合に実行される処理である。
【０１５２】
各種印刷処理を開始すると、制御部３１は、まず、画像形成部５によるトナー像形成動作を実行する（Ｓ７０１）。このＳ７０１の処理では、例えば、通常の印刷動作を行う場合であれば、１ページ分の被記録媒体に対してトナー像を形成する処理が実行される。また、例えば、色ずれ補正動作や濃度補正動作を行う場合であれば、直接搬送ベルト１５に対してトナー像を形成する処理が実行される。
【０１５３】
そして、Ｓ７０１の処理を終えたら、収容状態＝ニアフルか否かを判断する（Ｓ７０３）。Ｓ７０３の処理で、収容状態＝ニアフルであった場合（Ｓ７０３：ＹＥＳ）、印刷枚数カウンタの加算処理を実行する（Ｓ７０５）。このＳ７０５の処理は、詳しくは図１２に示すような処理となる。
【０１５４】
すなわち、図１２に示す印刷枚数カウンタの加算処理を開始すると、制御部３１は、まず、印刷動作＝濃度補正動作か否かを判断する（Ｓ８０１）。ここで、Ｓ７０１の処理において、画像形成部５による濃度補正動作が行われていれば、Ｓ８０１の処理では肯定判断がなされる（Ｓ８０１：ＹＥＳ）。この場合、制御部３１は、濃度補正用印刷枚数カウンタをインクリメントするとともに、その値をＮＶＲＡＭに記憶し（Ｓ８０３）、図１２に示す加算処理を終了する。
【０１５５】
また、Ｓ８０１の処理で肯定判断がなされなかった場合（Ｓ８０１：ＮＯ）、制御部３１は、印刷動作＝レジストレーション補正動作か否かを判断する（Ｓ８０５）。Ｓ８０５の処理では、Ｓ７０１の処理において、画像形成部５による色ずれ補正動作が行われていれば、肯定判断がなされる（Ｓ８０５：ＹＥＳ）。
【０１５６】
この場合、制御部３１は、レジストレーション補正用印刷枚数カウンタをインクリメントするとともに、その値をＮＶＲＡＭに記憶し（Ｓ８０７）、図１２に示す加算処理を終了する。
【０１５７】
一方、Ｓ８０５の処理で肯定判断がなされなかった場合（Ｓ８０５：ＮＯ）、通常の印刷動作が行われたことになるので、制御部３１は、をインクリメントするとともに、その値をＮＶＲＡＭに記憶し（Ｓ８０９）、図１２に示す処理を終了する。
【０１５８】
以上のようにして図１２に示す処理を終了すると、図１１に示すＳ７０５の処理を終了する。
一方、Ｓ７０３の処理で、収容状態＝ニアフルでなかった場合（Ｓ７０３：ＮＯ）、これは、「二つの廃棄物センサ２３、２４のいずれかが廃棄物を検知した後、廃棄物を検知しない状態に変化したこと」を意味する。そこで、そのような場合は、印刷枚数カウンタの減算処理を実行する（Ｓ７０７）。このＳ７０７の処理は、詳しくは図１３に示すような処理となる。
【０１５９】
すなわち、図１３に示す印刷枚数カウンタの減算処理を開始すると、制御部３１は、まず、印刷動作＝濃度補正動作か否かを判断する（Ｓ９０１）。ここで、Ｓ７０１の処理において、画像形成部５による濃度補正動作が行われていれば、Ｓ９０１の処理では肯定判断がなされる（Ｓ９０１：ＹＥＳ）。この場合、制御部３１は、濃度補正用印刷枚数カウンタをデクリメントするとともに、その値をＮＶＲＡＭに記憶し（Ｓ９０３）、図１３に示す減算処理を終了する。
【０１６０】
また、Ｓ９０１の処理で肯定判断がなされなかった場合（Ｓ９０１：ＮＯ）、制御部３１は、印刷動作＝レジストレーション補正動作か否かを判断する（Ｓ９０５）。Ｓ９０５の処理では、Ｓ７０１の処理において、画像形成部５による色ずれ補正動作が行われていれば、肯定判断がなされる（Ｓ９０５：ＹＥＳ）。
【０１６１】
この場合、制御部３１は、レジストレーション補正用印刷枚数カウンタをデクリメントするとともに、その値をＮＶＲＡＭに記憶し（Ｓ９０７）、図１３に示す減算処理を終了する。
【０１６２】
一方、Ｓ９０５の処理で肯定判断がなされなかった場合（Ｓ９０５：ＮＯ）、通常の印刷動作が行われたことになるので、制御部３１は、をデクリメントするとともに、その値をＮＶＲＡＭに記憶し（Ｓ９０９）、図１３に示す減算処理を終了する。
【０１６３】
以上のようにして図１３に示す減算処理を終了すると、図１１に示すＳ７０７の処理を終了する。
こうしてＳ７０５またはＳ７０７の処理を終えたら、制御部３１は、全印刷終了か否かを判断する（Ｓ７０９）。Ｓ７０９の処理では、画像形成部５によるトナー像形成動作を伴う処理がすべて完了したかどうかが判断される。
【０１６４】
具体例を交えて説明すれば、例えば、複数ページ分の印刷データに関し、全ページの印刷処理を完了していれば、Ｓ７０９の処理では肯定判断がなされ、何ページ分かの印刷処理が残っていれば、Ｓ７０９の処理では否定判断がなされる。また、色ずれ補正動作や濃度補正動作が完了していれば、Ｓ７０９の処理では肯定判断がなされる。
【０１６５】
そして、Ｓ７０９の処理で、全印刷終了ではないと判定された場合は（Ｓ７０９：ＮＯ
）、Ｓ７０１の処理へと戻り、再びＳ７０１以降の処理が繰り返されることになる。一方、Ｓ７０９の処理で、全印刷終了と判定された場合は（Ｓ７０９：ＹＥＳ）、クリーニング処理を実行する（Ｓ７１１）。このＳ７１１のクリーニング処理により、図６に示すＳ２０１の処理同様、画像形成部５の各部がクリーニングされることになる。
【０１６６】
続いて、制御部３１は、廃棄物センサ２３、２４による検知処理を実行する（Ｓ７１３）。このＳ７１３の検知処理は、詳しくは図７に示すような処理となるが、この処理については既に説明したので、ここでの説明は省略する。
【０１６７】
Ｓ７１３の処理を終えたら、制御部３１は、廃棄物の推定回収量を算出する（Ｓ７１５）。Ｓ７１５の処理では、Ｓ２０５の算出処理と同様の演算（印刷動作回数×ｋ＋色ずれ補正動作回数×ｐ＋濃度補正動作回数×ｑ）により、廃棄物の推定回収量が算出される。
【０１６８】
推定回収量を算出したら、制御部３１は、廃棄物ボックス１９の収容状態の判定を行う（Ｓ７１７）。Ｓ７１７の処理では、判定前の収容状態が、エンプティ、ニアフル、フルのいずれであるかに応じて異なる処理が実行される。ただし、これらの処理は、既に説明した図８〜図１０に示す処理のいずれかであり、この点は、既に説明したＳ２０７の判定処理と同様なので、ここでの説明は省略する。
【０１６９】
さて、Ｓ７１７の判定処理を終えたら、制御部３１は、Ｓ７１７の処理で更新または維持された収容状態について、収容状態＝フルか否かを判断する（Ｓ７１９）。
Ｓ７１９の処理において、収容状態＝フルであった場合（Ｓ７１９：ＹＥＳ）、制御部３１は、操作パネル３３に対する表示制御を行うことにより、利用者に対する廃棄物フルの通知を行う（Ｓ７２１）。そして、トナー像形成動作を禁止するエラー停止処理を実行して（Ｓ７２３）、図１１に示す各種印刷処理を終了する。
【０１７０】
その結果、画像形成装置１は、利用者に対する廃棄物フルの通知を行い、以降、画像形成装置１においてトナー像形成動作を伴う機能の利用ができない状態になる。なお、Ｓ７２１の処理を実行する制御部３１ないし操作パネル３３は、本発明でいう報知手段の一例に相当する。
【０１７１】
一方、Ｓ７１９の処理において、収容状態＝フルでなかった場合（Ｓ７１９：ＮＯ）、制御部３１は、Ｓ７１７の処理で更新または維持された収容状態について、収容状態＝ニアフルか否かを判断する（Ｓ７２５）。
【０１７２】
Ｓ７２５の処理において、収容状態＝ニアフルであった場合（Ｓ７２５：ＹＥＳ）、制御部３１は、操作パネル３３に対する表示制御を行うことにより、利用者に対する廃棄物ニアフルの通知を行い（Ｓ７２７）、図１１に示す処理を終了する。
【０１７３】
その結果、画像形成装置１は、各種印刷動作の段階で、収容状態＝ニアフルであれば、利用者に対する廃棄物ニアフルの通知を行うことになる。なお、画像形成装置１においてトナー像形成動作を伴う機能の利用ができる状態は、そのまま継続する。なお、Ｓ７２７の処理を実行する制御部３１ないし操作パネル３３は、本発明でいう報知手段の一例に相当する。
【０１７４】
また、Ｓ７２５の処理において、収容状態＝ニアフルでなかった場合（Ｓ７２５：ＮＯ）、制御部３１は、そのまま図１１に示す処理を終了する。この場合、画像形成装置１は、廃棄物収容状態に関する通知は行わず、また、画像形成装置１においてトナー像形成動作を伴う機能の利用ができる状態は、そのまま継続することになる。
【０１７５】
［実施形態の効果］
以上説明した画像形成装置１によれば、二つの廃棄物センサ２３、２４が廃棄物を検知したとしても、推定回収値が最低印字保証量Ｘに達していなければ、満杯であるとの判定がなされない。また、推定回収値が最低印字保証量Ｘに達しても、二つの廃棄物センサ２３、２４の内、いずれか一方が廃棄物を検知していなければ、満杯であるとの判定がなされない。
【０１７６】
したがって、単に二つのセンサだけで廃棄物を検知するものや、廃棄物が満杯になったか否かをカウント値だけで判定するものに比べ、回収した廃棄物が満杯に至ったことを、より適切なタイミングで判断でき、廃棄物ボックス１９の耐用寿命を延ばすことができる。
【０１７７】
また、上記画像形成装置１は、推定回収値が最大推定回収値Ｙ以上となった場合、二つの廃棄物センサ２３、２４のいずれかが廃棄物を検知していなくても、廃棄物ボックス１９に収容された廃棄物が最大収容量に達した（すなわち、収容状態＝フル）と判定する。したがって、二つの廃棄物センサ２３、２４の内、いずれか一方において適正な検知がなされなかった場合でも、廃棄物ボックス１９が満杯になったことを適切に判定できる。
【０１７８】
また、上記画像形成装置１は、印刷動作、色ずれ補正動作、濃度補正動作それぞれに対応付けて設定された加算値を推定回収値に加算することで、推定回収値のカウントアップを行う。したがって、印刷動作、色ずれ補正動作、濃度補正動作それぞれに応じて発生する廃棄物の量が反映されたカウントアップを行うことができる。
【０１７９】
また、画像形成装置１において、二つの廃棄物センサ２３、２４のいずれかが廃棄物を検知した後、廃棄物を検知しない状態に変化した場合には、印刷動作、色ずれ補正動作、濃度補正動作それぞれに対応付けて設定された減算値を推定回収値から減算する。
【０１８０】
このような減算によるカウントダウンが、ごく短期しか続かなかった場合、廃棄物を検知する状態にあるほうが、より正常である可能性が高いことが推定され、カウント値は僅かにカウントダウンされるだけで、その後は再びカウントアップが再開されるので、過剰に満杯判定が遅れることがない。
【０１８１】
また、カウントダウンが長期にわたって続いた場合、廃棄物を検知しない状態にある方が、より正常である可能性が高いことが推定され、カウント値がカウントダウンされ、一時的に開始されたカウントアップを相殺し、十分に満杯判定を遅らせることができる。
【０１８２】
さらに、廃棄物ボックス１９の交換に伴って二つの廃棄物センサ２３、２４の内、少なくとも一方が廃棄物を検知しない状態になれば、上記のようなカウントダウンが何回か実行される結果、カウント値が初期値に戻る。
【０１８３】
したがって、単にカウントアップをするだけの場合とは異なり、廃棄物ボックス１９の交換時にわざわざカウント値をリセットする（＝初期値に戻す）ような手間をかけなくてもよくなる。
【０１８４】
また、画像形成装置１において、廃棄物ボックス１９は、画像形成装置１本体に対し、着脱可能に設けられているため、着脱に伴って、二つの廃棄物センサ２３、２４の検知状態に変化が生じることがある。しかし、その検知状態の変化に応じてカウント値が補正されるので、状態変化が起きる前のカウント値の影響で不適切な判定が行われてしまうのを回避できる。
【０１８５】
加えて、画像形成装置１において、クリーニング機構２１は、搬送ベルト１５等の画像形成装置１本体各部とは独立に交換可能な構造で、廃棄物ボックス１９とともに交換される構造になっている。したがって、二つの廃棄物センサ２３、２４と推定回収量とに基づく判断で、操作パネル３３が廃棄物ボックス１９の交換を促すと、クリーニング機構２１は廃棄物ボックス１９とともに交換されることになる。そのため、結果的に廃棄物の回収量を考慮してクリーニング機構２１が交換されるように促すことにつながる。また、廃棄物の量が最大収容量に達したと判定（「フル」と判定）される時期と、クリーニング機構２１の交換寿命とが同等になるように廃棄物ボックス１９を構成しておくことで、廃棄物ボックス１９とともにクリーニング機構２１も効率的に交換することができる。
【０１８６】
［変形例等］
以上、本発明の実施形態について説明したが、本発明は上記の具体的な一実施形態に限定されず、この他にも種々の形態で実施することができる。
【０１８７】
例えば、上記実施形態では、カラー印刷が可能な画像形成部５を備えた画像形成装置１を例示したが、単色印刷しかできない画像形成部を備えた画像形成装置であっても、本発明の構成を採用することができる。
【０１８８】
また、上記実施形態では、トナー像形成動作の具体例として、印刷動作、色ずれ補正動作、濃度補正動作を挙げたが、他にも廃棄物の発生を伴うトナー像形成動作があれば、そのような動作について、カウント手段によるカウントの対象としてもよい。
【０１８９】
逆に、例えば、単色印刷しかできない画像形成部を備えた画像形成装置であれば、色ずれ補正動作は不要なので、上記実施形態で例示したトナー像形成動作の一部が存在しない構成とすることもできる。
【図面の簡単な説明】
【０１９０】
【図１】本発明の一実施形態として例示した画像形成装置の概略構造を示す縦断面図。
【図２】同画像形成装置から廃棄物ボックスを脱着した状態を示す縦断面図。
【図３】同画像形成装置の制御系を示すブロック図。
【図４】ニアフル判定およびフル判定のタイミングを示す説明図。
【図５】初期処理のフローチャート。
【図６】ウォーミングアップ処理のフローチャート。
【図７】センサによる検知処理のフローチャート。
【図８】収容状態エンプティの場合の収容状態判定処理のフローチャート。
【図９】収容状態ニアフルの場合の収容状態判定処理のフローチャート。
【図１０】収容状態フルの場合の収容状態判定処理のフローチャート。
【図１１】各種印刷処理のフローチャート。
【図１２】印刷枚数カウンタ加算処理のフローチャート。
【図１３】印刷枚数カウンタ減算処理のフローチャート。
【符号の説明】
【０１９１】
１・・・画像形成装置、３・・・給紙部、５・・・画像形成部、７・・・定着部、９・・・排紙部、１１・・・レーザースキャナ、１３Ｋ、１３Ｙ、１３Ｍ、１３Ｃ・・・現像トナーカートリッジ、１５・・・搬送ベルト、１９・・・廃棄物ボックス、２１・・・クリーニング機構、２２・・・楕円ロータ、２３、２４・・・廃棄物センサ、２５・・・開閉部、２６・・・クリーニングローラ、２７・・・クリーニングシャフト、２８・・・ブレード、３１・・・制御部、３３・・・操作パネル、３５・・・モータ・ソレノイド
【図１】
2008164918.tif 000003
【図２】
2008164918.tif 000004
【図３】
2008164918.tif 000005
【図４】
2008164918.tif 000006
【図５】
2008164918.tif 000007
【図６】
2008164918.tif 000008
【図７】
2008164918.tif 000009
【図８】
2008164918.tif 000010
【図９】
2008164918.tif 000011
【図１０】
2008164918.tif 000012
【図１１】
2008164918.tif 000013
【図１２】
2008164918.tif 000014
【図１３】
2008164918.tif 000015